(57)【要約】【課題】標本の着脱性を維持するとともに短辺の長さが異なる標本を保持可能であり、かつ標本がずれることを防止した標本保持装置を提供すること。【解決手段】標本保持装置は、顕微鏡のステージ上面に載置された矩形の標本を保持する標本保持装置であって、前記標本の片側の長辺を支持する長辺支持部と、前記標本の片側の短辺を支持する短辺支持部と、前記標本の前記短辺支持部が支持する短辺と異なる短辺を押圧し、前記標本を前記長辺支持部と前記短辺支持部とに押し当てる押し当て部材と、を備え、前記短辺支持部から前記標本に作用する力の作用点は、前記押し当て部材から前記標本に作用する力の作用点より、前記標本の短辺に沿った方向において、前記長辺支持部から離れた位置にある。【選択図】図２
2018112570.tif 000002
【特許請求の範囲】
【請求項１】
顕微鏡のステージ上面に載置された矩形の標本を保持する標本保持装置であって、
前記標本の片側の長辺を支持する長辺支持部と、
前記標本の片側の短辺を支持する短辺支持部と、
前記標本の前記短辺支持部が支持する短辺と異なる短辺を押圧し、前記標本を前記長辺支持部と前記短辺支持部とに押し当てる押し当て部材と、を備え、
前記短辺支持部から前記標本に作用する力の作用点は、前記押し当て部材から前記標本に作用する力の作用点より、前記標本の短辺に沿った方向において、前記長辺支持部から離れた位置にあることを特徴とする標本保持装置。
【請求項２】
前記押し当て部材は、回動して前記標本の前記短辺支持部が支持する短辺と異なる短辺を押圧することを特徴とする請求項１に記載の標本保持装置。
【発明の詳細な説明】
【技術分野】
【０００１】
本発明は、標本保持装置に関する。
【背景技術】
【０００２】
従来、観察対象が載置されたスライドガラスのような標本を保持する標本保持装置としてクレンメルが知られている（例えば、特許文献１、２参照）。クレンメルでは、コイルバネにより付勢された腕部が標本を押圧し、標本の短辺及び長辺をクレンメル本体に押し当てる。
【先行技術文献】
【特許文献】
【０００３】
【特許文献１】特開２００５−１５７３８３号公報
【特許文献２】実開平５−９０４２４号公報
【発明の概要】
【発明が解決しようとする課題】
【０００４】
しかしながら、特許文献１のクレンメルでは、腕部の先端に爪部があり、標本を取り外す際に爪部が引っかかる場合があるため標本の着脱性が悪い。さらに、短辺の長さが２６ｍｍのスライドガラスを保持可能な爪部を有するクレンメルでは、短辺の長さが異なる標本（例えば、短辺の長さが３０ｍｍの血球計算盤）を適切に保持することができない。
【０００５】
また、特許文献２のクレンメルでは、標本の短辺に沿った方向に対する保持力が小さいため、レボルバを回転させる際の振動等により標本がずれる場合があった。
【０００６】
本発明は、上記に鑑みてなされたものであって、標本の着脱性を維持するとともに短辺の長さが異なる標本を保持可能であり、かつ標本がずれることを防止した標本保持装置を提供することを目的とする。
【課題を解決するための手段】
【０００７】
上述した課題を解決し、目的を達成するために、本発明の一態様に係る標本保持装置は、顕微鏡のステージ上面に載置された矩形の標本を保持する標本保持装置であって、前記標本の片側の長辺を支持する長辺支持部と、前記標本の片側の短辺を支持する短辺支持部と、前記標本の前記短辺支持部が支持する短辺と異なる短辺を押圧し、前記標本を前記長辺支持部と前記短辺支持部とに押し当てる押し当て部材と、を備え、前記短辺支持部から前記標本に作用する力の作用点は、前記押し当て部材から前記標本に作用する力の作用点より、前記標本の短辺に沿った方向において、前記長辺支持部から離れた位置にあることを特徴とする。
【０００８】
また、本発明の一態様に係る標本保持装置は、前記押し当て部材は、回動して前記標本の前記短辺支持部が支持する短辺と異なる短辺を押圧することを特徴とする。
【発明の効果】
【０００９】
本発明によれば、標本の着脱性を維持するとともに短辺の長さが異なる標本を保持可能であり、かつ標本がずれることを防止した標本保持装置を実現することができる。
【図面の簡単な説明】
【００１０】
【図１】図１は、本発明の実施の形態に係るクレンメルを備える顕微鏡の概略構成を示す模式図である。
【図２】図２は、図１に示すステージを拡大した部分的なＡ矢視図である。
【図３】図３は、図２の短辺支持部を拡大した部分拡大図である。
【図４】図４は、図２のＣ方向から長辺支持部と標本との接点を見た部分断面図である。
【図５】図５は、図２のＤ方向から短辺支持部と標本との接点を見た部分断面図である。
【図６】図６は、図２のＤ方向から押し当て部材と標本との接点を見た部分断面図である。
【発明を実施するための形態】
【００１１】
以下に、図面を参照して本発明に係る標本保持装置の実施の形態を説明する。なお、これらの実施の形態により本発明が限定されるものではない。本発明は、顕微鏡用の標本保持装置一般に適用することができる。
【００１２】
また、図面の記載において、同一又は対応する要素には適宜同一の符号を付している。また、図面は模式的なものであり、各要素の寸法の関係、各要素の比率などは、現実と異なる場合があることに留意する必要がある。図面の相互間においても、互いの寸法の関係や比率が異なる部分が含まれている場合がある。
【００１３】
（実施の形態）
図１は、本発明の実施の形態に係るクレンメルを備える顕微鏡の概略構成を示す模式図である。図１に示すように、顕微鏡１は、本体部２にステージ３や対物レンズ４等が取り付けられることにより構成される正立型の顕微鏡である。なお、以下の説明において、顕微鏡１を使用する際にユーザと対向する側の面を正面（前面）とする。図１は、紙面の左側が正面側、右側が背面側となる。
【００１４】
本体部２は、顕微鏡１の各構成部材を支持する筐体である。机上等の顕微鏡１が設置される場所に直接載置されるベース部２ａと、ベース部２ａの奥側に立設されている支柱部２ｂと、支柱部２ｂの上端から顕微鏡１の正面側に向かって延在されているアーム部２ｃと、を有する。ベース部２ａには、顕微鏡１全体の制御を行う不図示の制御基板が設けられている。制御基板は、外部からの電源を各部へ中継したり、自身に電源が内蔵され、各部へ中継したりする。
【００１５】
ベース部２ａの内部には、透過照明光を出射する不図示の光源と、照明光を集光する不図示のコレクタレンズとが配置されている。光源は、例えばＬＥＤ（Ｌｉｇｈｔ  Ｅｍｉｔｔｉｎｇ  Ｄｉｏｄｅ）光源（固体光源）を用いて実現され、制御基板による制御のもとで点灯及び消灯する。ＬＥＤ光源は、例えば、単色のＬＥＤと、蛍光部材とを用いて構成され、白色の照明光を出射する。蛍光部材は、蛍光体が付与されたドーム状をなし、ＬＥＤを覆っている。この構成では、ＬＥＤが発した光により蛍光体が励起されて光を発する。
【００１６】
支柱部２ｂの前面には、観察対象である標本Ｓが載置されるステージ３が設けられている。ステージ３は、支柱部２ｂに焦準ガイドを介して支持されており、例えばフォーカスハンドル３ａの操作によって、観察光路上に配置される対物レンズ４の光軸に沿って移動し、標本Ｓに対するピント調整が行われる。フォーカスハンドル３ａは、自転可能に構成され、自身の回転により、ギヤ、ラックピニオン等の公知の手段によってステージ３を移動させる。また、ステージ３は、操作ハンドル３ｂによって対物レンズ４の光軸と直交する平面上を移動可能に構成されている。標本Ｓは、観察対象が載置されたスライドガラスや血球計算盤等である。
【００１７】
ステージ３には、不図示の明るさ絞りとコンデンサレンズとが設けられている。光源から出射された照明光は、ベース部２ａ内のコレクタレンズにより集光され、明るさ絞りにより開口数が調整される。その後、明るさ絞りを通過した照明光は、コンデンサレンズにより集光され、標本Ｓを照明する。コレクタレンズ、明るさ絞り及びコンデンサレンズは、標本Ｓに対してクリティカル照明を行う照明光学系をなす。この際、光源及び標本Ｓ、並びに対物レンズ４の射出瞳及び明るさ絞りは、それぞれ共役な位置に配置されている。
【００１８】
アーム部２ｃは、レボルバ５（対物レンズ支持部）と、観察部６（鏡筒）とを備えている。レボルバ５は、アーム部２ｃの延在方向先端側の下部に設置されている。観察部６は、アーム部２ｃの延在方向先端側の上部に着脱自在に取り付けられている。レボルバ５及び観察部６は、アーム部２ｃを介して対向して配置されている。
【００１９】
レボルバ５は、例えば、倍率の異なる複数の対物レンズ４が装着可能となっており、レボルバ５を回転させることにより、所望の倍率の対物レンズ４を観察光路に挿入して観察することができる。対物レンズ保持部は、レボルバ５のほか、一つの対物レンズ４を取り付け可能なものなど、対物レンズ４を観察光路上に配置可能なものであれば適用可能である。
【００２０】
観察部６には、接眼レンズ７が取り付けられている。観察部６は、例えば不図示の複数の反射ミラーを内部に備え、該反射ミラーを介して接眼レンズ７に観察光を導光し、該接眼レンズ７において観察像を結像させる。接眼レンズ７は、結像レンズなどによって構成され、該結像レンズにより形成された中間像を拡大して見るためのレンズである。
【００２１】
図２は、図１に示すステージを拡大した部分的なＡ矢視図である。図２に示すように、標本保持装置としてのクレンメル１１は、ステージ３の上面に載置された矩形の標本Ｓを保持する。ステージ３には、図２のＸ軸方向に沿って不図示のガイド溝が設けられており、可動ガイド３１が摺動自在に挿入されている。
【００２２】
クレンメル１１の本体部１２は、本体部１２を可動ガイド３１に取り付けるつまみ１３と、標本Ｓの片側の長辺を支持する２つの長辺支持部１４と、標本Ｓの片側の短辺を支持する短辺支持部１５と、を有する。
【００２３】
クレンメル１１の本体部１２には、押し当て部材１６が回転軸１７を中心に回動自在に取り付けられている。押し当て部材１６は、回転軸１７に取り付けられた不図示のコイルバネによって矢印Ｂ１の方向に回転するように付勢されている。その結果、押し当て部材１６は、回動して標本Ｓの短辺支持部１５が支持する短辺と異なる短辺を矢印Ｂ２の方向に押圧し、標本Ｓを長辺支持部１４と短辺支持部１５とに押し当てる。なお、コイルバネの付勢力により押し当て部材１６から標本Ｓに加えられる力は、例えば０．１Ｎ以上１．５Ｎ以下である。
【００２４】
図３は、図２の短辺支持部を拡大した部分拡大図である。図３に示すように、Ｙ軸方向（図２参照）に延伸する短辺支持部１５の基端側には、切欠き部１８が形成されている。切欠き部１８は、標本Ｓに接していない。また、短辺支持部１５の先端の標本Ｓと接触する面は、短辺支持部１５と標本Ｓとが点接触するようにＲ形状にされている。ただし、短辺支持部１５と標本Ｓとは、面接触であってもよい。
【００２５】
図２に戻り、短辺支持部１５から標本Ｓに作用する力の作用点１９は、押し当て部材１６から標本Ｓに作用する力の作用点２０より、標本Ｓの短辺に沿った方向において、長辺支持部１４から離れた位置にある。換言すると、標本Ｓの短辺に沿った方向において、長辺支持部１４から作用点１９までの長さｌ１は、長辺支持部１４から作用点２０までの長さｌ２より大きい。その結果、作用点１９を支点として、標本Ｓに対して、標本Ｓを矢印Ｂ３の方向に回転させるモーメントが加えられる。このモーメントにより、標本Ｓは、長辺支持部１４に押し当てられる。なお、長さｌ１は、例えば１ｍｍ以上２６ｍｍ以下である。また、長さｌ１は、長さｌ２より例えば０．２ｍｍ以上大きいことが好ましい。
【００２６】
図４は、図２のＣ方向から長辺支持部と標本との接点を見た部分断面図である。図４に示すように、長辺支持部１４の標本Ｓと当接する当接面２１は、ステージ３の上面と直交する方向（図４の紙面に沿った上下方向）に沿った面である。なお、図２に示すように、クレンメル１１の本体部１２には、長辺支持部１４が２つ形成されているが、２つの長辺支持部１４の双方の当接面２１が図４に示すステージ３の上面と直交する方向に沿った面である。標本Ｓは、作用点１９を支点とするモーメントにより、長辺支持部１４に押し当てられている。
【００２７】
図５は、図２のＤ方向から短辺支持部と標本との接点を見た部分断面図である。すなわち、図３のＥ−Ｅ線に対応する断面図である。図５に示すように、短辺支持部１５の標本Ｓと当接する当接面２２は、ステージ３の上面と直交する方向（図５の紙面に沿った上下方向）に対して角度θ１で交わる。標本Ｓは、押し当て部材１６が標本Ｓを押圧することにより、短辺支持部１５に押し当てられている。さらに、ステージ３の上面と直交する方向に対して当接面２２が角度θ１で交わることにより、標本Ｓは、ステージ３の上面に押し付けられる。角度θ１は、例えば２０°である。
【００２８】
図６は、図２のＤ方向から押し当て部材と標本との接点を見た部分断面図である。図６に示すように、押し当て部材１６の標本Ｓと当接する当接面２３は、ステージ３の上面と直交する方向（図６の紙面に沿った上下方向）に対して角度θ２で交わる。さらに、ステージ３の上面と直交する方向に対して当接面２３が角度θ２で交わることにより、標本Ｓは、ステージ３の上面に押し付けられる。角度θ２は、例えば３０°である。
【００２９】
以上説明したように、実施の形態によれば、短辺支持部１５から標本Ｓに作用する力の作用点１９が、押し当て部材１６から標本Ｓに作用する力の作用点２０より、標本Ｓの短辺に沿った方向において、長辺支持部１４から離れた位置にあることにより、標本Ｓが、長辺支持部１４に押し当てられる。従って、クレンメル１１によれば、標本Ｓの短辺に沿った方向に対する保持力が大きく、レボルバ５を回転させる際の振動等により標本Ｓがずれることを防止することができる。また、クレンメル１１は、特許文献１のクレンメルのような爪部を有しないため、標本Ｓの着脱性が悪くなることもない。さらに、クレンメル１１は、特許文献１のクレンメルのような爪部を有しないため、スライドガラスや血球計算盤等の短辺の長さが異なる標本Ｓを保持可能である。
【００３０】
さらなる効果や変形例は、当業者によって容易に導き出すことができる。よって、本発明のより広範な態様は、以上のように表わしかつ記述した特定の詳細及び代表的な実施形態に限定されるものではない。従って、添付のクレーム及びその均等物によって定義される総括的な発明の概念の精神又は範囲から逸脱することなく、様々な変更が可能である。
【符号の説明】
【００３１】
１  顕微鏡
２  本体部
２ａ  ベース部
２ｂ  支柱部
２ｃ  アーム部
３  ステージ
３ａ  フォーカスハンドル
３ｂ  操作ハンドル
４  対物レンズ
５  レボルバ
６  観察部
７  接眼レンズ
１１  クレンメル
１２  本体部
１３  つまみ
１４  長辺支持部
１５  短辺支持部
１６  押し当て部材
１７  回転軸
１８  切欠き部
１９、２０  作用点
２１、２２、２３  当接面
３１  可動ガイド
Ｓ  標本
【図１】
2018112570.tif 000003
【図２】
2018112570.tif 000004
【図３】
2018112570.tif 000005
【図４】
2018112570.tif 000006
【図５】
2018112570.tif 000007
【図６】
2018112570.tif 000008